(57)【要約】【課題】運転席と、運転席の後方で左右に並ぶ一対の後部座席とを備え、複数個のバッテリが搭載される電動車両において、後部座席に座る同乗者の足置き部がバッテリの配置によって高くなることを回避し、キャビンスペースを確保する。【解決手段】左右一対の後部座席２４Ｌ，２４Ｒ間に配置されるセンターコンソールが運転席２３から後方に延びるように配置され、複数個のバッテリ５１Ａ〜５１Ｆのうち一部のバッテリ５１Ａ〜５１Ｃが運転席２３の下方に配置され、残余のバッテリ５１Ｄ〜５１Ｆが、運転席２３の後方で、センターコンソールの下方および左右一対の後部座席２４Ｌ，２４Ｒの下方に配置される。【選択図】        図２
2014094617.tif 000002
【特許請求の範囲】
【請求項１】
運転席（２３）と、運転席（２３）の後方で左右に並ぶ一対の後部座席（２４Ｌ，２４Ｒ）とを備え、複数個のバッテリ（５１Ａ，５１Ｂ，５１Ｃ，５１Ｄ，５１Ｅ，５１Ｆ）が搭載される電動車両において、左右一対の後部座席（２４Ｌ，２４Ｒ）間に配置されるセンターコンソール（３１）が前記運転席（２３）から後方に延びるように配置され、複数個の前記バッテリ（５１Ａ〜５１Ｆ）のうち一部のバッテリ（５１Ａ〜５１Ｃ）が前記運転席（２３）の下方に配置され、残余のバッテリ（５１Ｄ〜５１Ｆ）が、前記運転席（２３）の後方で、前記センターコンソール（３１）の下方および左右一対の後部座席（２４Ｌ，２４Ｒ）の下方に配置されることを特徴とする電動車両。
【請求項２】
車体フレーム（Ｆ）が、左右一対のサイドシル（１５）と、それらのサイドシル（１５）の前部および後部をそれぞれ連結する前部および後部クロスフレーム（１６，１７）と、前記サイドシル（１５）の後部から上方に立ち上がる左右一対の後部アッパーフレーム（１９）と、左右一対の前記後部座席（２４Ｌ，２４Ｒ）を支持するようにして前記両後部アッパーフレーム（１９）の中間部間を連結する後上部クロスフレーム（２１）とを備え、一対の前記後部座席（２４Ｌ，２４Ｒ）の下方にそれぞれ配置されるバッテリ（５１Ｄ，５１Ｆ）が、前記後部クロスフレーム（１７）および前記後上部クロスフレーム（２１）間に配置されることを特徴とする請求項１記載の電動車両。
【請求項３】
前記後部座席（２４Ｌ，２４Ｒ）の下方に配置されるバッテリ（５１Ｄ，５１Ｆ）が、直方体状に形成されるとともにその長手方向を前記後部クロスフレーム（１７）に沿わせて配置されることを特徴とする請求項２記載の電動車両。
【請求項４】
前後方向に並んで前記運転席（２３）の下方に配置される複数個のバッテリ（５１Ａ〜５１Ｃ）の端子部（５５，５６）に、それらのバッテリ（５１Ａ〜５１ｃ）の側方に突出する導線接続部（５８ａ）を有する接続端子（５８）が電気的に接続され、前記バッテリ（５１Ａ〜５１Ｃ）の側方で前記導線接続部（５８ａ）に導線（５７）の端部が取付けられることを特徴とする請求項１〜３のいずれか１項に記載の電動車両。
【請求項５】
車幅方向の車体中心を通って前後に延びる車体中心線（ＣＬ）上に前記運転席（２３）が配置され、その車体中心線（ＣＬ）の左右いずれか一方側に高電圧の電装品（６２，６３）が配置され、前記車体中心線（ＣＬ）の左右いずれか他方側に低電圧の電装品（６４，６５）が配置されることを特徴とする請求項１〜４のいずれか１項に記載の電動車両。
【発明の詳細な説明】
【技術分野】
【０００１】
本発明は、運転席と、運転席の後方で左右に並ぶ一対の後部座席とを備え、複数個のバッテリが搭載される電動車両に関する。
【背景技術】
【０００２】
左右一対ずつの前部座席および後部座席の下方の広い範囲に複数個のバッテリが配置される電動車両が、たとえば特許文献１で既に知られている。
【先行技術文献】
【特許文献】
【０００３】
【特許文献１】特開平７−１５６８２６号公報
【発明の概要】
【発明が解決しようとする課題】
【０００４】
ところが上記特許文献１で開示される電動車両では、前部座席および後部座席間の床面の下方にもバッテリが配置されており、大容量となるように多数のバッテリを搭載することができるものの、特に後部座席の前方の床面が高くなるので後部座席に座る同乗者にとって足置き部の位置が高くなり、キャビンスペースが小さくなってしまう。
【０００５】
本発明は、かかる事情に鑑みてなされたものであり、後部座席に座る同乗者の足置き部がバッテリの配置によって高くなることを回避し、キャビンスペースを確保し得るようにした電動車両を提供することを目的とする。
【課題を解決するための手段】
【０００６】
上記目的を達成するために、本発明は、運転席と、運転席の後方で左右に並ぶ一対の後部座席とを備え、複数個のバッテリが搭載される電動車両において、左右一対の後部座席間に配置されるセンターコンソールが前記運転席から後方に延びるように配置され、複数個の前記バッテリのうち一部のバッテリが前記運転席の下方に配置され、残余のバッテリが、前記運転席の後方で、前記センターコンソールの下方および左右一対の後部座席の下方に配置されることを第１の特徴とする。
【０００７】
また本発明は、第１の特徴の構成に加えて、車体フレームが、左右一対のサイドシルと、それらのサイドシルの前部および後部をそれぞれ連結する前部および後部クロスフレームと、前記サイドシルの後部から上方に立ち上がる左右一対の後部アッパーフレームと、左右一対の前記後部座席を支持するようにして前記両後部アッパーフレームの中間部間を連結する後上部クロスフレームとを備え、一対の前記後部座席の下方にそれぞれ配置されるバッテリが、前記後部クロスフレームおよび前記後上部クロスフレーム間に配置されること第２の特徴とする。
【０００８】
本発明は、第２の特徴の構成に加えて、前記後部座席の下方に配置されるバッテリが、直方体状に形成されるとともにその長手方向を前記後部クロスフレームに沿わせて配置されることを第３の特徴とする。
【０００９】
本発明は、第１〜第３の特徴の構成のいずれかに加えて、前後方向に並んで前記運転席の下方に配置される複数個のバッテリの端子部に、それらのバッテリの側方に突出する導線接続部を有する接続端子が電気的に接続され、前記バッテリの側方で前記導線接続部に導線の端部が取付けられることを第４の特徴とする。
【００１０】
さらに本発明は、第１〜第４の特徴の構成のいずれかに加えて、車幅方向の車体中心を通って前後に延びる車体中心線上に前記運転席が配置され、その車体中心線の左右いずれか一方側に高電圧の電装品が配置され、前記車体中心線の左右いずれか他方側に低電圧の電装品が配置されることを第５の特徴とする。
【００１１】
なお実施の形態のＤＣ−ＤＣコンバータ６２およびメインコンタクタ６３が本発明の高電圧の電装品に対応し、実施の形態の車両制御用ＥＣＵ６４およびモータ制御用ＥＣＵ６５が本発明の低電圧の電装品に対応する。
【発明の効果】
【００１２】
本発明の第１の特徴によれば、運転席の下方に配置されるバッテリを除くバッテリが、運転席の後方で、センターコンソールの下方および左右一対の後部座席の下方に配置されるので、両後部座席の前方の床面がバッテリの配置によって高くなることはなく、後部座席に座る同乗者の足置き部がバッテリの配置によって高くなることを回避し、キャビンスペースを確保することができる。
【００１３】
また本発明の第２の特徴によれば、前部および後部クロスフレームが左右一対のサイドシルの前部および後部をそれぞれ連結し、サイドシルの後部から上方に立ち上がる左右一対の後部アッパーフレームの中間部間を連結して左右一対の前記後部座席を支持する後上部クロスフレームと、後部クロスフレームとの間に後部座席の下方のバッテリが配置されるので、後部座席の下方のバッテリをキャビンスペースに影響を及ぼさない位置に配置することができ、しかも剛体である後上部クロスフレームおよび後部クロスフレームをバッテリの上方および下方に配置してバッテリを保護することができる。
【００１４】
本発明の第３の特徴によれば、直方体状に形成されて後部座席の下方に配置されるバッテリの長手方向が後部クロスフレームに沿うので、キャビンスペースへのバッテリの張出しを抑えることができる。
【００１５】
本発明の第４の特徴によれば、運転席の下方で前後方向に並ぶ複数個のバッテリの端子部に電気的に接続される接続端子は、バッテリの側方に突出する導線接続部を有し、導線の端部がバッテリの側方で導線接続部に取付けられるので、導線を延出させたい方向に導線接続部を指向させることが可能であり、前後方向に並ぶ複数個のバッテリの側方で導線の折り曲げによる張出しが生じないようにして各バッテリ間を電気的に接続することができる。
【００１６】
さらに本発明の第５の特徴によれば、前後に延びる車体中心線上の左右いずれか一方側に高電圧の電装品が配置され、左右いずれか他方側に低電圧の電装品が配置されるので、スペース効率のよい効果的な配線が可能となる。
【図面の簡単な説明】
【００１７】
【図１】電動車両の側面図である。
【図２】電装品が配設された状態の車体フレームを図１の２矢視方向から見た図である。
【図３】図２の３矢視図である。
【図４】運転席の下方に配置されるバッテリの斜視図である。
【図５】パワードライブユニットおよびヒートシンクを図２の５矢視方向から見た斜視図である。
【図６】図５の６−６線矢視方向から見た図である。
【図７】図６の７矢視図である。
【図８】図６の８−８線断面図である。
【図９】ヒートシンクおよび電流センサが付設された状態のパワードライブユニット、導風部材および冷却ファンの分解斜視図である。
【発明を実施するための形態】
【００１８】
本発明の実施の形態について、添付の図１〜図９を参照しながら説明する。なお以下の説明で、前後、左右および上下は、電動車両に乗車した乗員から見た方向を言うものとする。
【００１９】
先ず図１および図２において、電動車両である電動四輪車両の前部には左右一対の前輪ＷＦ，ＷＦが懸架されており、前記車体フレームＦの後部には駆動輪である左右一対の後輪ＷＲ，ＷＲが懸架される。
【００２０】
前記車体フレームＦは、キャビン構成部１１と、左右一対の前記前輪ＷＦ，ＷＦを懸架するようにして前記キャビン構成部１１の前部に連設される前部フレーム１２と、左右一対の前記後輪ＷＲ，ＷＲを懸架するようにして前記キャビン構成部１１の後部に連設される後部フレーム１３とを備える。前部フレーム１２には、電動車両に搭載されるアクセサリに電力を供給するためのアクセサリ用バッテリ１４が搭載される。
【００２１】
前記キャビン構成部１１は、前後方向に延びる左右一対のサイドシル１５，１５と、サイドシル１５，１５の前部間を連結する前部クロスフレーム１６と、前記サイドシル１５，１５の後部間を連結する後部クロスフレーム１７と、前記サイドシル１５，１５の前部から上方に立ち上がる左右一対の前部アッパーフレーム１８，１８と、前記サイドシル１５，１５の後部から上方に立ち上がる左右一対の後部アッパーフレーム１９，１９と、左右一対の前記前部アッパーフレーム１８，１８の上部間を連結する前上部クロスフレーム２０と、左右一対の前記後部アッパーフレーム１９，１９の中間部間を連結する後上部クロスフレーム２１とを備える。
【００２２】
前記キャビン構成部１１で外郭が規定されるキャビン内において、前記前輪ＷＦ，ＷＦを操向する操向ハンドル２２の後方には、車幅方向の車体中心を通って前後に延びる車体中心線ＣＬ上に位置するようにして運転席２３が配置され、その運転席２３の後方には、左右に並ぶ一対の後部座席２４Ｌ，２４Ｒが配置される。
【００２３】
前記前部クロスフレーム１６および前記後部クロスフレーム１７間には、それらのクロスフレーム１６，１７の中間部間を連結して前記車体中心線ＣＬの左右両側で前後方向に延びるセンターサブフレーム２５，２５が設けられており、それらのセンターサブフレーム２５，２５間には前部および後部サブクロスフレーム２６，２７が前後方向に間隔をあけて設けられる。また前記車体中心線ＣＬ上に配置されるバッテリ支持板２８が前記前部クロスフレーム１６および前記後部クロスフレーム１７間を連結するように設けられる。さらに前記バッテリ支持板２８の両側に配置されて前後方向に延びる左右一対のバッテリ支持フレーム２９，２９が後部サブクロスフレーム２７および後部クロスフレーム１７間に設けられる。
【００２４】
左右一対のバッテリ支持フレーム２９，２９の前部および前記前部サブクロスフレーム２６間には、前記センターサブフレーム２５，２５の上方に配置されて上方に隆起した形状に形成される左右一対のシートフレーム３０，３０が設けられており、前記運転席２３は前記シートフレーム３０，３０上に支持される。
【００２５】
また左右一対の後部座席２４Ｌ，２４Ｒは、前記後部アッパーフレーム１９，１９の中間部間を連結する後上部クロスフレーム２１で支持されるものであり、それらの後部座席２４Ｌ，２４Ｒ間に配置されるセンターコンソール３１が、前記運転席２３から後方に延びて前記バッテリ支持フレーム２９，２９を上方から覆うように配置される。
【００２６】
図３を併せて参照して、前記後部フレーム１３は、後方に向けて膨らむように形成されて後部アッパーフレーム１９，１９の上部に連設される上フレーム部３４ａ、上フレーム部３４ａの後端部下方で車幅方向に延びる中間フレーム部３４ｂならびに中間フレーム部３４ｂの下方で車幅方向に延びる下フレーム部３４ｃを有しつつ車体後部の外郭を規定するように形成されるケージフレーム３４と、前記後上部クロスフレーム２１から後方に延びて前記ケージフレーム３４の下フレーム部３４ｃに後端が連結される左右一対の後上部サブフレーム３５，３５と、前記後部クロスフレーム１７から後上がりに延びるとともに後端が前記下フレーム部３４ｃに連結される左右一対の後下部サブフレーム３６，３６と、左右一対の前記後上部サブフレーム３５，３５間に設けられて左右方向に延びる後輪支持フレーム３７とを備える。
【００２７】
前記後輪支持フレーム３７の両端部には、左右方向に延びる左右一対の上懸架アーム３８，３８の内端部がピン３９，３９を介して上下揺動可能に支承され、左右一対の前記後下部サブフレーム３６，３６の後部にそれぞれ設けられるブラケット４０，４０には左右方向に延びる左右一対の下懸架アーム４１，４１の内端部がピン４２，４２を介して上下揺動可能に支承される。また後輪ＷＲを軸支するナックル４３，４３の上部は前記上懸架アーム４０，４０の外端部にピン４４，４４を介して連結され、前記ナックル４３，４３の下部は前記下懸架アーム４１，４１の外端部にピン４５，４５を介して連結される。また前記後上部サブフレーム３５，３５の中間部および前記後上部クロスフレーム２１間に設けられる左右一対のクッション支持フレーム４６，４６には、上下方向に延びる左右一対のリヤクッション４７，４７の上端部が支持され、それらのリヤクッション４７，４７の下端部は左右一対の前記ナックル４３，４３に連結される。
【００２８】
左右一対の前記後輪ＷＲ，ＷＲは、それらの後輪ＷＲ，ＷＲに個別に対応した電動モータ４８，４８が発揮する動力で駆動されるものであり、電動モータ４８，４８からの回転動力を減速して後輪ＷＲ，ＷＲに伝達する減速機を収容する減速機ケース４９，４９に電動モータ４８，４８が取付けられて成る駆動ユニット５０，５０が前記ナックル４３，４３に取付けられる。
【００２９】
再び図２において、左右一対の前記電動モータ４８，４８に電力を供給するために、この電動車両には複数個のバッテリが搭載される。而してこの実施の形態の電動車両は、小型であり、１回の充電によって走行可能な距離も、大量のバッテリを積載できる通常の四輪電動車両が走行できる距離と同等であることが要求されるものではないので、搭載されるバッテリの容量すなわちバッテリの個数は比較的少なく、配置スペースも小さくてすみ、第１〜第６の６個のバッテリ５１Ａ，５１Ｂ，５１Ｃ，５１Ｄ，５１Ｅ，５１Ｆが、直列に接続されるようにして電動車両に搭載され、各バッテリ５１Ａ〜５１Ｆは、横断面形状を矩形とした直方体状に形成される。
【００３０】
図４を併せて参照して、第１〜第６のバッテリ５１Ａ〜５１Ｆのうち第１〜第３のバッテリ５１Ａ〜５１Ｃは、その長手方向を車幅方向に沿わせつつ前後方向に並んで前記運転席２３の下方に配置される。また第１〜第３のバッテリ５１Ａ〜５１Ｃは、前記バッテリ支持板２８上に長手方向中央部を載置するようにして左右一対のセンターサブフレーム２５，２５間に配置されており、第１〜第３のバッテリ５１Ａ〜５１Ｃの長手方向両端部に設けられる支持板５３，５３…が、第１〜第３のバッテリ５１Ａ〜５１Ｃに対応して前記センターサブフレーム２５，２５に設けられるステー５４，５４…に締結される。
【００３１】
しかも第１〜第３のバッテリ５１Ａ〜５１Ｃの長手方向一端部でその前面の上部および下部には、プラス側の端子部５５，５５，５５およびマイナス側の端子部５６，５６，５６が設けられており、導線５７，５７…がそれぞれ取付けられる接続端子５８，５８…が、プラス側の端子部５５，５５，５５およびマイナス側の端子部５６，５６，５６にそれぞれ電気的に接続されるのであるが、各接続端子５８，５８…は、各バッテリ５１Ａ〜５１Ｃの側方に突出する導線接続部５８ａ，５８ａ…を有するように形成されており、導線接続部５８ａ，５８ａ…は、導線５７，５７…の端部を挿通してかしめることで該導線５７，５７…の端部を取付けるようにして円筒状に形成される。
【００３２】
また第１〜第６のバッテリ５１Ａ〜５１Ｆのうち前記運転席２３の下方に配置される第１〜第３のバッテリ５１Ａ〜５１Ｃを除く第４〜第６のバッテリ５１Ｄ〜５１Ｆは、第３のバッテリ５１Ｃに直列に接続される第４のバッテリ５１Ｄに第５および第６バッテリ５１Ｅ，５１Ｆがこの順で直列に接続されるものであり、前記運転席２３の後方で前記センターコンソール３１の下方および左右一対の後部座席２４Ｌ，２４Ｒの下方のみに配置される。而して第４のバッテリ５１Ｄは、その長手方向を車幅方向に沿わせるようにして右側の後部座席２４Ｒの下方に配置され、第５のバッテリ５１Ｅは、その長手方向を前後方向に沿わせて前記センターコンソール３１の下方に配置され、第６のバッテリ５１Ｆは、その長手方向を車幅方向に沿わせるようにして左側の後部座席２４Ｌの下方に配置される。また両後部座席２４Ｌ，２４Ｒ間には、第３および第４のバッテリ５１Ｃ，５１Ｄ間を結ぶ回路の途中に介設されるサービスプラグ５９が配置される。
【００３３】
第５のバッテリ５１Ｅは、バッテリ支持板２８上に載せられるようにして左右一対のバッテリ支持フレーム２９，２９間に配置されており、前後に間隔をあけて設けられる一対ずつバッテリ支持フレーム２９，２９に設けられるステー（図示せず）に、第５のバッテリ５１Ｅの左右両側下部に設けられる支持板６０，６０が締結される。
【００３４】
左右一対の前記後部座席２４Ｌ，２４Ｒの下方にそれぞれ配置される第４および第６のバッテリ５１Ｄ，５１Ｆは、その長手方向を前記後部クロスフレーム１７に沿わせつつ前記後部クロスフレーム１７上に載るようにして前記後部クロスフレーム１７および前記後上部クロスフレーム２１間に配置される。
【００３５】
而して第４および第６のバッテリ５１Ｄ，５１Ｆの長手方向両端部に設けられる支持板６１，６１…が、前記後部クロスフレーム１７に設けられるステー（図示せず）にそれぞれ締結される。
【００３６】
ところで前記運転席２３は前記車体中心線ＣＬ上に配置されるのであるが、その車体中心線ＣＬの左右いずれか一方側（この実施の形態では左方側）に高電圧の電装品である３個のＤＣ−ＤＣコンバータ６２，６２，６２およびメインコンタクタ６３が配置され、前記車体中心線ＣＬの左右いずれか他方側（この実施の形態では右方側）に低電圧の電装品である車両制御用ＥＣＵ６４およびモータ制御用ＥＣＵ６５が配置される。
【００３７】
ところで３個のＤＣ−ＤＣコンバータ６２…が配設されるのは、１つのＤＣ−ＤＣコンバータ６２では出力電力が低い領域では効率が低下するので、３個のＤＣ−ＤＣコンバータ６２…を並列接続し、負荷に応じて使用する個数を変化するようにして効率の向上を図るためである。
【００３８】
図５〜図８を併せて参照して、一対の前記電動モータ４８，４８に個別に対応した一対のパワードライブユニット６８，６８は、平面視で前記後部フレーム１３が備える一対の後上部サブフレーム３５，３５間に並列配置されており、しかも図３で示すように、一対の前記駆動ユニット５０，５０の上端を通る水平面ＰＡならびに前記駆動ユニット５０，５０の下端を通る水平面ＰＢ間に配置される。
【００３９】
前記パワードライブユニット６８，６８の相互に対向する側の側面には、前記パワードライブユニット６８，６８の並列方向と直交する方向、この実施の形態では上下方向に平行に延びる複数個の冷却フィン６９ａ，６９ａ，６９ａ…をそれぞれ有するヒートシンク６９，６９が個別にそれぞれ取付けられる。
【００４０】
平面視で前記パワードライブユニット６８，６８を前後から挟む位置で一対の前記後上部サブフレーム３５，３５間には、前部支持フレーム７０および後部支持フレーム７１が設けられており、前部支持フレーム７０に前部支持枠７２が取付けられ、後部支持フレーム７１に後部支持枠７３が取付けられる。
【００４１】
前部支持枠７２は、車幅方向に延びて前記前部支持フレーム７０に締結される前部横枠７２ａと、車幅方向に間隔をあけた２箇所で前記前部横枠７２ａに結合されて下方に延びる左右一対の前部縦枠７２ｂ，７２ｃとを有し、後部支持枠７３は、車幅方向に延びて前記後部支持フレーム７１に締結される後部横枠７３ａと、車幅方向に間隔をあけた２箇所で前記後部横枠７３ａに結合されて下方に延びる左右一対の後部縦枠７３ｂ，７３ｃとを有し、前部横枠７２ａ、前部縦枠７２ｂ，７２ｃ、後部横枠７３ａおよび後部縦枠７３ｂ，７３ｃは横断面Ｌ字状の形鋼から成る。
【００４２】
左右一対の前記パワードライブユニット６８，６８の前部側壁は、前部支持枠７２が備える左右一対の前部縦枠７２ｂ，７２ｃの上部および下部にボルト７４，７４…で締結され、左右一対の前記パワードライブユニット６８，６８の後部側壁は、後部支持枠７３が備える左右一対の後部縦枠７３ｂ，７３ｃの上部および下部にボルト７５，７５…で締結される。
【００４３】
また前記パワードライブユニット６８，６８の上方には、電流センサ７６，７６がそれぞれ配置されており、左側の電流センサ７６のケース７７の前部は、前部支持枠７２が備える左側の前部縦枠７２ｂの上部に設けられる上下一対の支持ステー７８，７９に締結され、右側の電流センサ７６のケース７７の後部は、後部支持枠７８が備える右側の後部縦枠７８ｃの上部に設けられる上下一対の支持ステー８０，８１に締結される。
【００４４】
また左側の電流センサ７６のケース７７の後部は、後部支持枠７３が備える左側の後部縦枠７３ｂの上部に設けられる支持ステー８２に締結され、右側の電流センサ７６のケース７７の前部は、前部支持枠７２が備える右側の前部縦枠７２ｃの上部に設けられる支持ステー８３に締結される。
【００４５】
前記前部支持枠７２の前部縦枠７２ｂ，７２ｃならびに前記後部支持枠７３の後部縦枠７３ｂ，７３ｃには、並列配置された一対の前記パワードライブユニット６８，６８間の空間をそれらのパワードライブユニット６８，６８の並列方向に沿う両端で閉じる導風部材８５が締結される。
【００４６】
図９を併せて参照して、前記導風部材８５は、前記パワードライブユニット６８，６８に取付けられる前記ヒートシンク６９，６９間に配置されるとともに下端部が相互に連設される一対の隔壁部８５ａ，８５ａと、横断面形状を上方に開いた略Ｕ字状として前記両各隔壁部８５ａ，８５ａの下部間を連結する下部連結部８５ｂと、前記パワードライブユニット６８，６８の並列方向に沿う両端で前記隔壁部８５ａ，８５ａおよび前記下部連結部８５ｂに直角に連なる前後一対の端壁部８５ｃ，８５ｃと、前記下部連結部８５ｃの下方に配置されて前記両端壁部８５ｂ，８５ｂの下端部間を連結する底壁部８５ｄとを一体に有して合成樹脂によって形成されるものであり、前記端壁部８５ｃ，８５ｃが、前記前部支持枠７２の前部縦枠７２ｂ，７２ｃならびに前記後部支持枠７３の後部縦枠７３ｂ，７３ｃにボルト８６，８６…で締結される。
【００４７】
前記導風部材８５の隔壁部８５ａ，８５ａと、前記パワードライブユニット６８，６８との間には、一対のヒートシンク６９，６９における冷却フィン６９ａ，６９ａ…の延出方向、この実施の形態では上下方向に冷却空気を流通させるようにして前記ヒートシンク６９，６９を個別に収容する一対の導風通路８７，８７が形成される。
【００４８】
また前記導風部材８５には、前記導風通路８７，８７内にその一端部から冷却用空気を吹き込む前後一対の冷却ファン８８，８８が取付けられており、この実施の形態では、導風通路８７，８７内のヒートシンク６９，６９の冷却フィン６９ａ，６９ａ…が上下方向に平行に延びるものであるので、前記冷却ファン８８，８８は、前記導風通路８７，８７内に冷却空気を上方に向けて流通させるようにして前記導風部材８５の前記底壁部８５ｄに取付けられ、各冷却ファン８８，８８に個別に対応した開口部８９，８９が形成される。
【００４９】
また前記導風部材８５の両隔壁部８５ａ，８５ａ間には、それらの隔壁部８５ａ，８５ａおよびパワードライブユニット６８，６８間に形成されている導風通路８７，８７とは独立した空気通路９０が形成されるものであり、この空気通路９０の前端および後端は、走行風が流通することを可能として前記端壁部８５ｃ，８５ｃの車幅方向中央部に開口する。
【００５０】
また前記後部フレーム１３には、第１〜第６のバッテリ５１Ａ〜５１Ｆに外部電源から充電するための充電器９２が、前記電流センサ７２，７２の上方に配置されるようにして支持される。
【００５１】
次にこの実施の形態の作用について説明すると、運転席２３と、運転席２３の後方で左右に並ぶ一対の後部座席２４Ｌ，２４Ｒとを備える電動車両に、第１〜第６のバッテリ５１Ａ〜５１Ｆが搭載されるのであるが、第１〜第６のバッテリ５１Ａ〜５１Ｆのうち第１〜第３のバッテリ５１Ａ，５１Ｂ，５１Ｃは前記運転席２３の下方に配置され、残余のバッテリである第４〜第６のバッテリ５１Ｄ，５１Ｅ，５１Ｆは、前記運転席２３の後方で、前記運転席２３から後方に延びて左右一対の後部座席２４Ｌ，２４Ｒ間に配置されるセンターコンソール３１の下方および左右一対の後部座席２４Ｌ，２４Ｒの下方のみに配置されるので、両後部座席２４Ｌ，２４Ｒの前方の床面が第４〜第６のバッテリ５１Ｄ，５１Ｅ，５１Ｆの配置によって高くなることはなく、後部座席２４Ｌ，２４Ｒに座る同乗者の足置き部が第４〜第６のバッテリ５１Ｄ，５１Ｅ，５１Ｆの配置によって高くなることを回避し、キャビンスペースを確保することができる。
【００５２】
また車体フレームＦが、左右一対のサイドシル１５，１５と、それらのサイドシル１５，１５の前部および後部をそれぞれ連結する前部および後部クロスフレーム１６，１７と、前記サイドシル１５，１５の後部から上方に立ち上がる左右一対の後部アッパーフレーム１９，１９と、左右一対の前記後部座席２４Ｌ，２４Ｒを支持するようにして前記両後部アッパーフレーム１９の中間部間を連結する後上部クロスフレーム２１とを備えており、後部座席２４Ｌ，２４Ｒの下方にそれぞれ配置される第４および第６のバッテリ５１Ｄ，５１Ｆが、前記後部クロスフレーム１７および前記後上部クロスフレーム２１間に配置されるので、後部座席２４Ｌ，２４Ｒの下方の第４および第６のバッテリ５１Ｄ，５１Ｆをキャビンスペースに影響を及ぼさない位置に配置することができ、しかも剛体である後上部クロスフレーム２１および後部クロスフレーム１７を第４および第６のバッテリ５１Ｄ，５１Ｆの上方および下方に配置して第４および第６のバッテリ５１Ｄ，５１Ｆを保護することができる。
【００５３】
また後部座席２４Ｌ，２４Ｒの下方に配置される第４および第６のバッテリ５１Ｄ，５１Ｆが、直方体状に形成されるとともにその長手方向を前記後部クロスフレーム１７に沿わせて配置されるので、キャビンスペースへの第４および第６のバッテリ５１Ｄ，５１Ｆの張出しを抑えることができる。
【００５４】
また前記運転席２３の下方には、第１〜第３のバッテリ５１Ａ，５１Ｂ，５１Ｃが前後方向に並んで配置されており、それらのバッテリ５１Ａ〜５１Ｃの端子部５５，５５…；５６，５６…に、それらのバッテリ５１Ａ〜５１Ｃの側方に突出する導線接続部５８ａ…を有する接続端子５８…が電気的に接続され、第１〜第３のバッテリ５１Ａ〜５１Ｃの側方で前記導線接続部５８ａ…に導線５７…の端部が取付けられるので、導線５７…を延出させたい方向に導線接続部５８ａ…を指向させることが可能であり、前後方向に並ぶ第１〜第３のバッテリ５１Ａ〜５１Ｃの側方で導線５７…の折り曲げによる張出しが生じないようにして第１〜第３のバッテリ５１Ａ〜５１Ｃ間を電気的に接続することができる。
【００５５】
また車幅方向の車体中心を通って前後に延びる車体中心線ＣＬ上に前記運転席２３が配置され、その車体中心線ＣＬの左右いずれか一方側（この実施の形態では左方側）に高電圧の電装品であるＤＣ−ＤＣコンバータ６２，６２，６２およびメインコンタクタ６３が配置され、前記車体中心線ＣＬの左右いずれか他方側（この実施の形態では右方側）に低電圧の電装品である車両制御用ＥＣＵ６４およびモータ制御用ＥＣＵ６５が配置されるので、スペース効率のよい効果的な配線が可能となる。
【００５６】
また左右の後輪ＷＲ，ＷＲを駆動する動力を発揮する一対の電動モータ４８，４８に個別に対応した一対のパワードライブユニット６８，６８が、前記後輪ＷＲ，ＷＲ間で並列配置されており、それらのパワードライブユニット６８，６８の相互に対向する側の側面に、それらのパワードライブユニット６８，６８の並列方向と直交する方向で平行に延びる複数の冷却フィン６９ａ，６９ａ…を有するヒートシンク６９，６９が個別にそれぞれ取付けられ、両パワードライブユニット６８，６８間の空間を前記並列方向に沿う両端で閉じる導風部材８５に一体に形成されて一対のヒートシンク６９，６９間に配置される隔壁部８５ａ，８５ａと、一対のパワードライブユニット６８，６８との間に、冷却フィン６９ａ，６９ａ…の延出方向に冷却空気を流通させるようにしてヒートシンク６９，６９を個別に収容する一対の導風通路８７，８７が形成されるので、各ヒートシンク６９，６９に冷却空気を確実に流通させて確実な冷却を行うことができるとともに、１つの導風部材８５で両パワードライブユニット６８，６８間に一対の導風通路８７，８７をスペース効率よく形成することができ、しかも隔壁部８５ａ，８５ａが一対の導風通路８７，８７間に介在することによって、両ヒートシンク６９，６９の一方から他方に及ぶ熱影響を抑えることができる。
【００５７】
また導風通路８７，８７内にその一端部から冷却用空気を吹き込む冷却ファン８８，８８が導風部材８５に取付けられるので、冷却ファン８８，８８による強制的な冷却で各ヒートシンク６９，６９をより効果的に冷却することができる。
【００５８】
しかも一対の前記隔壁部８５ａ，８５ａが、一対の前記導風通路８７，８７とは独立した空気通路９０を一対の前記隔壁部８５ａ，８５ａ間に形成するようにして前記導風部材８５に一体に形成されるので、隔壁部８５ａ，８５ａを空気通路９０を流通する空気で冷却することが可能であり、ヒートシンク６９，６９相互の熱影響をより効果的に抑えることができる。
【００５９】
また上下方向に平行に延びる複数の前記冷却フィン６９ａ，６９ａ…を有する一対の前記ヒートシンク６９，６９を個別に収容する一対の前記導風通路８７，８７内を、冷却空気を上方に向けて流通させるようにして前記冷却ファン８８，８８が前記導風部材８５の下端部に取付けられるので、冷却ファン８８，８８から吹き込まれる冷却空気が、一対のヒートシンク６９，６９を個別に収容する一対の導風通路８７，８７内を上方に向けて流通することになり、熱せられた空気が対流によって上方に流通するのと相まって冷却ファン８８，８８からの冷却空気をより有効に導風通路８７，８７内で流通させ、より効果的に冷却することができる。
【００６０】
また車体フレームＦが、キャビン構成部１１と、該キャビン構成部１１から後方に延びる左右一対の後上部サブフレーム３５，３５とを備え、一対の後上部サブフレーム３５，３５に固着されて車幅方向に延びる後輪支持フレーム３７の両端部に、後輪ＷＲ，ＷＲを懸架するようにして外側方に延びる上懸架アーム３８，３８がそれぞれ揺動可能に支持され、一対のパワードライブユニット６８，６８が、平面視で一対の前記後上部サブフレーム３５，３５間に配置されるので、相互に対向する側の側面に個別にヒートシンク６９，６９をそれぞれ取付けるようにした構成によって、車幅方向に狭い後上部サブフレーム３５，３５間に対応する部分に一対のパワードライブユニット６８，６８をコンパクトに配置することができる。
【００６１】
さらに電動モータ４８，４８をそれぞれ含む一対の駆動ユニット５０，５０が前記後輪ＷＲ，ＷＲを軸支するナックル４３，４３に支持されており、一対のパワードライブユニット６８，６８が、前記駆動ユニット５０，５０の上端および下端を通る水平面ＰＡ，ＰＢ間に配置されるので、一対のパワードライブユニット６８，６８をよりコンパクトに配置することができる。
【００６２】
以上、本発明の実施の形態について説明したが、本発明は上記実施の形態に限定されるものではなく、特許請求の範囲に記載された本発明を逸脱することなく種々の設計変更を行うことが可能である。
【符号の説明】
【００６３】
１５・・・サイドシル
１６・・・前部クロスフレーム
１７・・・後部クロスフレーム
１９・・・後部アッパーフレーム
２１・・・後上部クロスフレーム
２３・・・運転席
２４Ｌ，２４Ｒ・・・後部座席
３１・・・センターコンソール
５１Ａ，５１Ｂ，５１Ｃ，５１Ｄ，５１Ｅ，５１Ｆ・・・バッテリ
５５，５６・・・端子部
５７・・・導線
５８・・・接続端子
５８ａ・・・導線接続部
６２・・・高電圧の電装品であるＤＣ−ＤＣコンバータ
６３・・・高電圧の電装品であるメインコンタクタ
６４・・・低電圧の電装品である車両制御用ＥＣＵ
６５・・・低電圧の電装品であるモータ制御用ＥＣＵ
ＣＬ・・・車体中心線
Ｆ・・・車体フレーム
【図１】
2014094617.tif 000003
【図２】
2014094617.tif 000004
【図３】
2014094617.tif 000005
【図４】
2014094617.tif 000006
【図５】
2014094617.tif 000007
【図６】
2014094617.tif 000008
【図７】
2014094617.tif 000009
【図８】
2014094617.tif 000010
【図９】
2014094617.tif 000011